(57)【要約】【課題】管部の開口を塞ぐように叩くことで音を鳴らす打楽器において、音程を変えることができるようにする。【解決手段】両端が開口した管部２と、管部２の一方の開口１１を塞ぐ閉塞手段３と、を備え、管部２の軸方向において閉塞手段３と管部２の他方の開口１２との間に位置する管部２の途中部分に、管部２の内外に貫通する貫通孔１３が形成されている打楽器１を提供する。【選択図】図１
2018025697.tif 000002
【特許請求の範囲】
【請求項１】
両端が開口した管部と、前記管部の一方の開口を塞ぐ閉塞手段と、を備え、
前記管部の軸方向において前記閉塞手段と前記管部の他方の開口との間に位置する前記管部の途中部分に、前記管部の内外に貫通する貫通孔が形成されている打楽器。
【請求項２】
前記閉塞手段が、前記管部に対してその軸方向に移動可能である請求項１に記載の打楽器。
【請求項３】
前記閉塞手段が、前記管部に対して前記一方の開口を開閉可能に設けられている請求項１又は請求項２に記載の打楽器。
【請求項４】
前記閉塞手段が、固体である閉塞部を備え、
前記管部のうち軸方向において前記貫通孔と前記閉塞部との間の部分に、液体排出用のドレンが設けられている請求項１から請求項３のいずれか一項に記載の打楽器。
【請求項５】
前記ドレンが、径方向において前記管部から離れるにしたがって軸方向において前記管部の一方の開口側に傾斜する傾斜管路部によって構成されている請求項４に記載の打楽器。
【請求項６】
両端が開口した管部を備え、
軸方向における管部の途中部分に、管部の内外に貫通する貫通孔が形成されている打楽器。
【発明の詳細な説明】
【技術分野】
【０００１】
本発明は、打楽器に関する。
【背景技術】
【０００２】
従来の打楽器には、両端が開口しているパイプのうち一方の開口を板などで塞ぐように叩くことで、パイプを片側開口の共鳴管として動作させ、音を鳴らすものがある。
特許文献１，２には、両端開口のパイプを利用して音を鳴らす楽器が開示されている。特許文献１，２に記載の楽器では、パイプ内に水を所定量貯めることで、パイプの一方の開口を塞いでおく。そして、パイプの他方の開口から水滴をパイプ内の水面に落とすことで、パイプを片側開口の共鳴管として動作させる。この種の楽器では、パイプ内の水位を変えることでパイプ内における共鳴周波数が変わり、音程を変えることができる。
【先行技術文献】
【特許文献】
【０００３】
【特許文献１】特許第３４６０６７０号公報
【特許文献２】米国特許第５５２００８９号明細書
【発明の概要】
【発明が解決しようとする課題】
【０００４】
しかしながら、パイプの一方の開口を叩く従来の打楽器では、特許文献１，２のようにパイプの一方の開口を塞いでしまうと、パイプの他方の開口を叩いても音が鳴らない。このため、従来の打楽器では、音程を変えることができない。
【０００５】
本発明は、上述した事情に鑑みてなされたものであって、音程を変えることが可能な打楽器を提供することを目的とする。
【課題を解決するための手段】
【０００６】
本発明は、両端が開口した管部と、前記管部の一方の開口を塞ぐ閉塞手段と、を備え、前記管部の軸方向において前記閉塞手段と前記管部の他方の開口との間に位置する前記管部の途中部分に、前記管部の内外に貫通する貫通孔が形成されている打楽器を提供する。
【発明の効果】
【０００７】
本発明によれば、管部の一方の開口を閉塞手段等によって塞いだ状態で、管部の他方の開口、または、貫通孔のうち外側の開口を塞ぐように叩くことで、打楽器を片側開口の共鳴管として動作させ、音を鳴らすことができる。そして、管部の軸方向における閉塞手段等の位置を変えることで音程を変えることができる。
【図面の簡単な説明】
【０００８】
【図１】本発明の第一実施形態に係る打楽器の第一例を示す断面図である。
【図２】本発明の第一実施形態に係る打楽器の第二例を示す断面図である。
【図３】本発明の第二実施形態に係る打楽器を示す断面図である。
【図４】本発明の第三実施形態に係る打楽器を示す断面図である。
【発明を実施するための形態】
【０００９】
〔第一実施形態〕
以下、図１，２を参照して本発明の第一実施形態について説明する。
図１，２に示すように、本実施形態の打楽器１（以下、パイプホン１と呼ぶ。）は、両端が開口した管部２と、管部２の一方の開口１１を塞ぐ閉塞手段３と、を備える。
【００１０】
管部２は、例えば管部２の軸方向の途中部分において屈曲した筒状に形成されてもよい。本実施形態の管部２は、屈曲した部分が無く直線状に延びる筒状に形成されている。管部２の軸方向から見た管部２の形状は、円形状や多角形状など任意であってもよい。
【００１１】
軸方向における管部２の途中部分には、管部２の内外に貫通する貫通孔１３が形成されている。
貫通孔１３が形成される管部２の途中部分は、少なくとも管部２の軸方向において後述する閉塞手段３と管部２の他方の開口１２との間に位置する管部２の部分であればよい。本実施形態において、貫通孔１３は、管部２のうち軸方向において他方の開口１２側の近くの部分に形成されている。
【００１２】
貫通孔１３は、例えば単純に管部２の管壁に形成されるだけでもよい。本実施形態の貫通孔１３は、管部２に接続された分岐管部１４によって構成されている。分岐管部１４は、管部２から離れる方向に延びている。図示例の分岐管部１４は直線状に延びているが、例えば湾曲したり屈曲したりしてもよい。また、図示例の分岐管部１４は、管部２の軸方向に直交する方向に延びているが、例えば管部２の軸方向に対して傾斜する方向に延びてもよい。
管部２は、例えば上記した分岐管部１４との接続部分において屈曲してもよい。
【００１３】
閉塞手段３は、少なくとも管部２の軸方向において管部２の一方の開口１１から貫通孔１３に至る部分に設けられればよい。
本実施形態の閉塞手段３は、固体である閉塞部２１を含む。本実施形態の閉塞部２１は、板状に形成され、管部２に一体に形成されている。また、本実施形態の閉塞部２１は、管部２の一方の開口１１に対応する管部２の軸方向の第一端に位置している。
【００１４】
本実施形態の閉塞手段３は、例えば図２に示すように、管部２内に貯められた液体２２を含んでもよい。液体２２は、一方の開口１１が鉛直方向下側に向くように管部２を配置した上で、管部２内に貯められる。管部２内に貯められた液体２２の液面２３は、管部２内に貯められた液体２２の量を調整することで、管部２の軸方向において閉塞部２１が設けられた位置から貫通孔１３が形成された位置の間で任意に位置させることができる。
【００１５】
以上のように構成される本実施形態のパイプホン１では、管部２の他方の開口１２、または、貫通孔１３のうち外側の開口１５（以下、外側開口１５と呼ぶ。）を塞ぐように叩くことで、パイプホン１を片側開口の共鳴管として動作させることができる、すなわち、音を鳴らすことができる。
例えば、管部２の他方の開口１２を叩いた場合には、パイプホン１のうち閉塞手段３（閉塞部２１や液面２３）から貫通孔１３の外側開口１５に至る管路が片側開口の共鳴管として動作する。また、貫通孔１３の外側開口１５を叩いた場合には、パイプホン１のうち閉塞手段３から管部２の他方の開口１２に至る管路が片側開口の共鳴管として動作する。
管部２の開口や貫通孔１３の外側開口１５を叩く部材としては、例えばウレタンフォーム等の発泡ゴムからなる板状部材が挙げられる。
【００１６】
以上説明したように、本実施形態のパイプホン１によれば、管部２の軸方向における閉塞手段３の位置を変えることで、パイプホン１の音程を変えることができる。
本実施形態では、管部２内に貯められた液体２２の量を調整することで、管部２の軸方向における液面２３の位置を閉塞手段３の位置として変えることができる。これにより、閉塞手段３から管部２の他方の開口１２や貫通孔１３の外側開口１５に至る管路の長さが変わるため、パイプホン１の音程を変えることができる。
【００１７】
〔第二実施形態〕
次に、図３を参照して本発明の第二実施形態について説明する。
この実施形態では、第一実施形態のパイプホン１と比較して、管部の一部構成のみが異なり、その他の構成については第一実施形態と同様である。本実施形態では、第一実施形態と同一の構成要素について同一符号を付す等して、その説明を省略する。
【００１８】
図３に示すように、本実施形態のパイプホン（打楽器）１Ａは、第一実施形態と同様に、両端が開口した管部２Ａと、管部２Ａの一方の開口１１を塞ぐ閉塞手段３と、を備える。管部２Ａには、第一実施形態と同様の貫通孔１３が形成されている。閉塞手段３は、第一実施形態と同様の閉塞部２１を含む。また、閉塞手段３は、第一実施形態と同様の液体２２を含んでもよい。
【００１９】
さらに、本実施形態の管部２Ａには、液体排出用のドレン１６Ａが設けられている。ドレン１６Ａは、管部２Ａのうち軸方向において貫通孔１３と閉塞部２１との間の部分に設けられている。ドレン１６Ａの内径は、管部２Ａや貫通孔１３の内径よりも小さく設定されるとよい。
ドレン１６Ａは、例えば管部２Ａの内外に貫通する孔によって構成されてもよいが、本実施形態では、管部２Ａに接続された傾斜管路部１７Ａによって構成されている。傾斜管路部１７Ａは、管部２Ａの径方向において管部２Ａから離れるにしたがって管部２Ａの軸方向において管部２Ａの一方の開口１１側に傾斜している。
ドレン１６Ａには、例えばドレン１６Ａの開口を塞ぐ栓（不図示）が着脱自在に設けられてもよい。
【００２０】
管部２Ａにドレン１６Ａを設けた本実施形態のパイプホン１Ａは、例えば以下のように使用することができる。
はじめに、ドレン１６Ａの開口を栓や手指等で塞いだ状態で、液面２３が管部２Ａの軸方向において貫通孔１３とドレン１６Ａとの間に位置するように、管部２Ａ内に液体２２を貯める。その後、ドレン１６Ａを開放してドレン１６Ａから管部２Ａ内の液体２２を外部に排出する。これにより、液面２３の位置を下げることができる。すなわち、本実施形態のパイプホンでは、管部２Ａにドレン１６Ａを設けることで、管部２Ａ内に貯められた液体２２の液面２３（閉塞手段３）が、管部２Ａに対してその軸方向に移動可能となっている。
【００２１】
また、本実施形態のパイプホン１Ａでは、管部２Ａの軸方向における液面２３の位置がドレン１６Ａの位置と一致したときに、管部２Ａ内に貯められた液体２２の排出及び液面２３の低下が停止する。
ここで、本実施形態のパイプホン１Ａでは、ドレン１６Ａが傾斜管路部１７Ａによって構成されている。そして、傾斜管路部１７Ａの外側の開口が、管部２Ａの軸方向において傾斜管路部１７Ａの内側の開口（管部２Ａ内への開口）よりも管部２Ａの一方の開口１１側に位置している。このため、管部２Ａの軸方向における液面２３の位置が、図３に例示するように傾斜管路部１７Ａの外側の開口の位置と一致したときに、管部２Ａ内に貯められた液体２２の排出及び液面２３の低下が停止する。この状態においては、傾斜管路部１７Ａ内に液体２２が残る。すなわち、ドレン１６Ａの開口を管部２Ａ内に貯められた液体２２によって塞ぐことができる。
【００２２】
本実施形態のパイプホン１Ａによれば、第一実施形態と同様の効果を奏する。
また、本実施形態のパイプホン１Ａでは、管部２Ａ内に貯められた液体２２をドレン１６Ａから外部に排出することで、管部２Ａ内における液面２３の位置を下げることができる。これにより、パイプホン１Ａの音程を連続的に変えることができる。すなわち、音程が連続的に変化するパイプホン１Ａの演奏が可能となる。
【００２３】
また、本実施形態のパイプホン１Ａでは、管部２Ａの軸方向における液面２３の位置がドレン１６Ａの位置と一致したときに、管部２Ａ内に貯められた液体２２の排出及び液面２３の低下が停止する。これにより、管部２Ａの軸方向における液面２３の位置を簡単に決めることができる。すなわち、パイプホン１Ａの音程を簡単に設定することができる。
また、管部２Ａの軸方向におけるドレン１６Ａの位置が互いに異なる複数のパイプホン１Ａを用意することで、複数の音程を発することが可能な楽器を簡単に構成することも可能となる。
【００２４】
また、本実施形態のパイプホン１Ａでは、ドレン１６Ａが傾斜管路部１７Ａによって構成されている。このため、管部２Ａ内に貯められた液体２２の排出が停止した状態で、管部２Ａ内に貯められた液体２２によってドレン１６Ａを塞ぐことができる。これにより、栓等の別途部材によってドレン１６Ａを塞がなくても、ドレン１６Ａの開口が管部２Ａ内の共鳴特性に影響することを防止できる。また、別途部材によってドレン１６Ａを塞ぐ必要が無いため、パイプホン１Ａを容易に取り扱うことができる。
【００２５】
〔第三実施形態〕
次に、図４を参照して本発明の第三実施形態について説明する。
この実施形態では、第一実施形態のパイプホン１と比較して、管部の一部構成が異なり、その他の構成については第一実施形態と同様である。本実施形態では、第一実施形態と同一の構成要素について同一符号を付す等して、その説明を省略する。
【００２６】
図４に示すように、本実施形態のパイプホン（打楽器）１Ｂは、第一実施形態と同様に、両端が開口した管部２Ｂを備える。管部２Ｂには、第一実施形態と同様の貫通孔１３が形成されている。ただし、本実施形態の管部２Ｂには、第一、第二実施形態の閉塞部２１（図１−３参照）が設けられていない。
本実施形態のパイプホン１Ｂは、例えば管部２Ｂ内に貯められる液体２２を、管部２Ｂの一方の開口１１を塞ぐ閉塞手段３として含んでもよい。本実施形態において、液体２２は貯留槽２４Ｂに貯められている。
【００２７】
本実施形態のパイプホン１Ｂでは、管部２Ｂの一方の開口１１を貯留槽２４Ｂに貯められた液体２２に浸けることで、管部２Ｂの一方の開口１１を液体２２で塞ぐことができる。この状態において、第一実施形態の場合と同様に、管部２Ｂの他方の開口１２、または、貫通孔１３の外側開口１５を塞ぐように叩くことで、パイプホン１Ｂを片側開口の共鳴管として動作させることができる、すなわち、音を鳴らすことができる。
【００２８】
また、本実施形態のパイプホン１Ｂでは、貯留槽２４Ｂに貯められた液体２２に対して管部２Ｂをその軸方向に移動させることで、管部２Ｂ内における液面２３（閉塞手段３）が、管部２Ｂに対してその軸方向に移動可能となっている。
【００２９】
また、本実施形態のパイプホン１Ｂでは、管部２Ｂの一方の開口１１を貯留槽２４Ｂに貯められた液体２２に浸けることで、一方の開口１１を塞ぐことができる。また、管部２Ｂを貯留槽２４Ｂに貯められた液体２２から引き揚げることで、一方の開口１１を開放することができる。すなわち、本実施形態のパイプホン１Ｂでは、貯留槽２４Ｂに貯められた液体２２（閉塞手段３）が、管部２Ｂに対して管部２Ｂの一方の開口１１を開閉可能に設けられている。
【００３０】
本実施形態のパイプホン１Ｂによれば、第一実施形態と同様の効果を奏する。
すなわち、本実施形態のパイプホン１Ｂでは、液体２２に浸ける管部２Ｂの長さを変えることで、管部２Ｂの軸方向における液面２３の位置を変えることができる。これにより、液面２３から管部２Ｂの他方の開口１２や貫通孔１３の外側開口１５に至る管路の長さが変わるため、パイプホン１Ｂの音程を変えることができる。
【００３１】
また、本実施形態のパイプホン１Ｂでは、貯留槽２４Ｂに貯められた液体２２に対して管部２Ｂをその軸方向に移動させることで、管部２Ｂ内における液面２３の位置を連続的に変化させることができる。これにより、パイプホン１Ｂの音程を連続的に変えることができ、音程が連続的に変化するパイプホン１Ｂの演奏が可能となる。
【００３２】
また、本実施形態のパイプホン１Ｂでは、管部２Ｂの一方の開口１１が開閉可能となっている。これにより、管部２Ｂの一方の開口１１を開閉するだけで、パイプホン１Ｂの音程を簡単に変えることができる。
【００３３】
本実施形態のパイプホン１Ｂにおいて、管部２Ｂの一方の開口１１を塞ぐ閉塞手段３は、液体２２に限らず、例えば演奏者の手など任意であってよい。
【００３４】
本実施形態のパイプホン１Ｂには、例えば第二実施形態のドレン１６Ａが適用されてもよい。
【００３５】
以上、本発明について詳細に説明したが、本発明はこれら実施形態に限定されるものではなく、本発明の趣旨を逸脱しない範囲において種々の変更を加えることが可能である。
【００３６】
第一、第二実施形態のパイプホン１，１Ａにおいて、固体である閉塞部２１は、例えば管部２，２Ａに対して管部２，２Ａの一方の開口１１を開閉可能に設けられてもよい。このような構成では、管部２，２Ａの一方の開口１１を開閉するだけで、パイプホン１，１Ａの音程を簡単に変えることができる。
【００３７】
管部２，２Ａの一方の開口１１を開閉可能とする閉塞部２１は、例えばバタフライバルブのように、板状に形成されると共に、管部２，２Ａに対して回転可能に設けられてもよい。
また、管部２，２Ａの一方の開口１１を開閉可能とする閉塞部２１は、例えば管部２，２Ａに対して着脱自在に設けられてもよい。この場合、閉塞部２１は、例えば管部２，２Ａの軸方向における管部２，２Ａの複数の位置に対して着脱自在とされてもよい。このような構成では、閉塞部２１を取り付ける管部２，２Ａの軸方向の位置を変えるだけで、パイプホン１，１Ａの音程を簡単に変えることができる。すなわち、液体２２を管部２，２Ａ内に貯めなくても、パイプホン１，１Ａの音程を変えることが可能となる。
【００３８】
第一、第二実施形態のパイプホン１，１Ａにおいて、閉塞部２１は、例えば管部２，２Ａに対してその軸方向に移動可能に設けられてもよい。この場合、閉塞部２１は、例えば管部２，２Ａの内周面に接触する部位が弾性変形可能なゴム等からな部材によって構成されてもよい。このような構成では、パイプホン１，１Ａの音程を連続的に変化させることができる。また、液体２２を管部２，２Ａ内に貯めなくても、パイプホン１，１Ａの音程を変化させることも可能となる。
【符号の説明】
【００３９】
１，１Ａ，１Ｂ…パイプホン（打楽器）、２，２Ａ，２Ｂ…管部、３…閉塞手段、１１…一方の開口、１２…他方の開口、１３…貫通孔、１６Ａ…ドレン、１７Ａ…傾斜管路部、２１…閉塞部、２２…液体、２３…液面、２４Ｂ…貯留槽
【図１】
2018025697.tif 000003
【図２】
2018025697.tif 000004
【図３】
2018025697.tif 000005
【図４】
2018025697.tif 000006